(57)【要約】【課題】待受け表示画面を設定する操作手順を簡略化し、設定時間の短縮を図ることができる携帯型情報処理装置およびその待受け表示画面の設定方法を提供する。【解決手段】状態検出部の判定結果に基づき、外部側操作部８だけの操作によって、撮像した最新の撮像画像を外部側表示部１１の待受け表示画面として設定するとともに保存する。【選択図】      図１
2004364148.tif 000002
【特許請求の範囲】
【請求項１】
情報を入力するための第１および第２操作部を含み、これら第１および第２操作部を操作可能な操作部許容状態と、第１操作部の操作が規制される操作部規制状態とにわたって切替可能な携帯型情報処理装置であって、
情報を表示可能な表示部と、
操作部規制状態で第２操作部の操作に基づいて撮像する撮像手段と、
画像を記憶する記憶手段と、
携帯型情報処理装置が操作部許容状態にあるか操作部規制状態にあるかを判定する判定手段と、
判定手段の判定結果に基づき、操作部規制状態で撮像した最新の撮像画像を表示部の待受け表示画面として表示するとともに記憶手段に記憶するように制御する制御手段とを有することを特徴とする携帯型情報処理装置。
【請求項２】
制御手段は、撮像画像を圧縮して記憶手段に記憶することを特徴とする請求項１に記載の携帯型情報処理装置。
【請求項３】
第２操作部は、撮像画像全体のうちの少なくとも一部を選択可能なキー操作部を含むことを特徴とする請求項１に記載の携帯型情報処理装置。
【請求項４】
第２操作部は、画像を記憶する記憶指令と、撮像した画像を待受け表示画面として設定する待受け表示指令とを略同時に行う操作片を含むことを特徴とする請求項１または２に記載の携帯型情報処理装置。
【請求項５】
情報を入力するための第１および第２操作部を含み、これら第１および第２操作部を操作可能な操作部許容状態と、第１操作部の操作が規制される操作部規制状態とにわたって切替可能な携帯型情報処理装置の待受け表示画面の設定方法であって、
携帯型情報処理装置が操作部許容状態にあるか操作部規制状態にあるかを判定する第１工程と、
第１工程の判定結果に基づいて、操作部規制状態で撮像した最新の撮像画像を表示部の待受け表示画面として表示するとともに記憶手段に記憶する第２工程とを有することを特徴とする携帯型情報処理装置の待受け表示画面の設定方法。
【発明の詳細な説明】
【０００１】
【発明の属する技術分野】
本発明は、携帯型情報処理装置およびその待受け表示画面の設定方法に関し、たとえば折り畳み型の携帯電話機に好適に適用される技術に関する。
【０００２】
本発明において、待受け表示画面は、携帯型情報処理装置に情報が入力されない待機状態における表示画面と同義である。本発明において、用語「略同時」は「同時」を含む。
【０００３】
【従来の技術】
近年、入力された光信号を電気信号に変換する撮像素子および撮像レンズを有するカメラを搭載した携帯電話機であって、折り畳み型の携帯電話機が実用に供されている。前記折り畳み型の携帯電話機は、クラムシェル型の携帯電話機とも呼ばれる。この種の携帯電話機において、搭載するカメラを用いて撮像した撮像画像を、以下の操作によって待受け表示画面として設定する技術（特許文献１，２）が提案されている。
【０００４】
具体的には前記携帯電話機を折り畳んだ状態で、操作者は所望の画像を撮像する。撮像した複数の撮像画像は、それぞれ画像データとしてたとえば画像ファイルに記憶される。これら撮像画像のうち１つの撮像画像を待受け表示画面として設定する際には、操作者は、先ずこの携帯電話機を折り畳んだ状態から展開状態にする。次に操作者は、撮像画像を選択するためのライブラリを起動させ、その後操作者は、複数の撮像画像のなかから１つの撮像画像を待受け表示画面として選択する。
【０００５】
【特許文献１】
特開２００１−３０６０５１号公報
【特許文献２】
特開２００２−３００２３７号公報
【０００６】
【発明が解決しようとする課題】
前述の従来技術では、撮像した撮像画像を、直ぐ携帯電話機の待受け表示画面として設定する際、操作者は、前記携帯電話機を折り畳んだ状態から展開状態に逐次切替えなければならない。しかも操作者は、撮像画像を選択するためのライブラリを起動させる必要がある。このように操作者は、携帯電話機自体の開閉状態を切替える操作、ライブラリを起動させるための操作、および画像選択などの複雑な操作手順を踏まなければならない。それ故、たとえば携帯電話機の操作に不慣れな操作者は、待受け表示画面を設定する設定時間が長くなるだけでなく、待受け表示画面を設定する操作手順を覚えられない場合がある。
【０００７】
したがって本発明の目的は、待受け表示画面を設定する操作手順を簡略化し、その設定時間の短縮を図ることができる携帯型情報処理装置およびその待受け表示画面の設定方法を提供することである。
【０００８】
【課題を解決するための手段】
本発明は、情報を入力するための第１および第２操作部を含み、これら第１および第２操作部を操作可能な操作部許容状態と、第１操作部の操作が規制される操作部規制状態とにわたって切替可能な携帯型情報処理装置であって、
情報を表示可能な表示部と、
操作部規制状態で第２操作部の操作に基づいて撮像する撮像手段と、
画像を記憶する記憶手段と、
携帯型情報処理装置が操作部許容状態にあるか操作部規制状態にあるかを判定する判定手段と、
判定手段の判定結果に基づき、操作部規制状態で撮像した最新の撮像画像を表示部の待受け表示画面として表示するとともに記憶手段に記憶するように制御する制御手段とを有することを特徴とする携帯型情報処理装置である。
【０００９】
本発明に従えば、操作部許容状態と操作部規制状態とにわたって切替可能な携帯型情報処理装置において、撮像手段は、操作部規制状態で第２操作部の操作に基づいて対象物を撮像する。携帯型情報処理装置が操作部許容状態にあるか操作部規制状態にあるかを判定する判定手段の判定結果に基づき、制御手段は、操作部規制状態で撮像した最新の撮像画像を表示部の待受け表示画面として表示するとともに記憶手段に記憶するように制御する。
【００１０】
このように特に操作部規制状態で第２操作部の操作によって、制御手段は、最新の撮像画像を表示部の待受け表示画面として設定するので、操作手順を簡略化することができる。つまり最新の撮像画像を表示部の待受け表示画面として設定するとき、携帯型情報処理装置を操作部許容状態と操作部規制状態とにわたって切替えつつ、第１および第２操作部を操作する必要がなくなる。このような切替操作および複数の操作部の操作を行うことなく、待受け表示画面の設定および記憶を実現することができる。それ故、操作手順の簡略化を図ることができるうえ、設定時間を短縮することが可能となる。
【００１１】
また本発明は、制御手段は、撮像画像を圧縮して記憶手段に記憶することを特徴とする。
【００１２】
本発明に従えば、制御手段は、撮像画像を圧縮して記憶手段に記憶する。このように撮像した撮像画像が圧縮されたうえで記憶されるので、記憶手段の容量不足を解消することが可能となる。
【００１３】
また本発明は、第２操作部は、撮像画像全体のうちの少なくとも一部を選択可能なキー操作部を含むことを特徴とする。
【００１４】
本発明に従えば、キー操作部によって、撮像画像全体のうちの少なくとも一部を選択する。このように撮像画像全体のうち操作者の所望の一部を簡単に選択することができる。
【００１５】
また本発明は、第２操作部は、画像を記憶する記憶指令と、撮像した画像を待受け表示画面として設定する待受け表示指令とを略同時に行う操作片を含むことを特徴とする。
【００１６】
本発明に従えば、第２操作部は操作片を含み、この操作片によって、画像を記憶する記憶指令と、撮像した画像を待受け表示画面として設定する待受け表示指令とを略同時に行う。このように操作片によって、記憶指令と待受け表示指令とを略同時に行うことができる。逆に言えば、記憶指令と待受け表示指令とを、それぞれ独立して行う必要がなくなるので、待受け表示画面の設定自体を一層簡略化することができる。
【００１７】
また本発明は、情報を入力するための第１および第２操作部を含み、これら第１および第２操作部を操作可能な操作部許容状態と、第１操作部の操作が規制される操作部規制状態とにわたって切替可能な携帯型情報処理装置の待受け表示画面の設定方法であって、
携帯型情報処理装置が操作部許容状態にあるか操作部規制状態にあるかを判定する第１工程と、
第１工程の判定結果に基づいて、操作部規制状態で撮像した最新の撮像画像を表示部の待受け表示画面として表示するとともに記憶手段に記憶する第２工程とを有することを特徴とする携帯型情報処理装置の待受け表示画面の設定方法である。
【００１８】
本発明に従えば、第１工程において、携帯型情報処理装置が操作部許容状態にあるか操作部規制状態にあるかを判定する。この第１工程の判定結果に基づいて、第２工程において、操作部規制状態で撮像した最新の撮像画像を、表示部の待受け表示画面として表示するとともに記憶手段に記憶する。このように特に操作部規制状態で撮像した最新の撮像画像を、表示部の待受け表示画面として表示するとともに記憶手段に記憶するので、操作手順を簡略化することができる。
【００１９】
つまり最新の撮像画像を表示部の待受け表示画面として設定するとき、携帯型情報処理装置を操作部許容状態と操作部規制状態とにわたって切替えつつ、第１および第２操作部を操作する必要がなくなる。このような切替操作および複数の操作部の操作を行うことなく、待受け表示画面の設定および記憶を実現することができる。それ故、操作手順の簡略化を図ることができるうえ、設定時間を短縮することが可能となる。
【００２０】
【発明の実施の形態】
図１は、本発明の実施形態に係る携帯電話機１において、サブ画面と背面キーとの関係を表す図である。図２は、折り畳んだ状態の携帯電話機１のカメラを含む一表面部を表す図である。図３は、展開状態の携帯電話機１を、その厚み方向一方側から見た図である。図４は、折り畳んだ状態の携帯電話機１の一側面図である。図５は、折り畳んだ状態の携帯電話機１の他側面図である。
【００２１】
本実施形態は、携帯型情報処理装置を、小型カメラを搭載した折り畳み型の携帯電話機に適用した場合の一例である。ただし折り畳み型の携帯電話機に必ずしも限定されるものではない。たとえば後述の第１ケーシングを第２ケーシングに対して相対的にかつ略平行にスライド変位させるスライド式、第１ケーシングをその厚み方向に平行な軸線方向まわりに第２ケーシングに対して回転変位させる回転式、これら折り畳み型，スライド式，回転式の構造を選択的に組み合わせた種々な携帯電話機に適用可能である。
【００２２】
携帯電話機１は、主に、ケーシング２，３とヒンジ部４とを有する。これらケーシング２，３は、図１および図２に示すような相互に対向させた折り畳み状態と、図３に示す展開状態とにわたって、ヒンジ部４によって相互に角変位自在に連結される。すなわちケーシング２，３は、前記折り畳み状態から、ヒンジ部４とケーシング２の先端部とを含む仮想一平面と、ヒンジ部４とケーシング３の先端部とを含む仮想一平面とのなす角度がたとえば約１８０度となる位置まで、ヒンジ部４を中心として相互に角変位自在に構成されている。
【００２３】
ケーシング２には、情報を入力する第１操作部としての内部側操作部５が設けられている。内部側操作部５は、ケーシング２，３を相互に対向させた折り畳み状態で、ケーシング２のケーシング３に対向する領域に設けられる。内部側操作部５は、数字データ、文字データ、および携帯電話機１への指示などの所定の情報を入力するための複数の操作キー５ａを有し、操作キー５ａを操作することによって、後述する制御部６（図６参照）に各操作キー５ａに対応した指示信号を与える。
【００２４】
ケーシング３には内部側表示部７が設けられている。内部側表示部７は、ケーシング２，３を相互に対向させた折り畳み状態で、ケーシング３のケーシング２に対向する領域に設けられる。内部側表示部７は、前記内部側操作部５の操作によって入力される情報に応答して表示内容を表示する。この内部側表示部７は、たとえばカラー表示可能な半透過半反射型液晶表示素子によって実現される。この折り畳み状態が操作部規制状態に相当する。
【００２５】
内部側表示部７および内部側操作部５を、ケーシング２，３の相互に対向する領域にそれぞれ設けることによって、ケーシング２，３を展開状態としたとき、操作者は内部側表示部７を見つつ内部側操作部５によって情報を入力することができる。本実施の形態において展開状態とは、次のような状態である。すなわちケーシング２，３が相互に対向させた折り畳み状態で相互に対向する領域が、外部に露出する状態であって、操作者が、内部側表示部７を目視することができるとともに、内部側操作部５を操作することができる状態である。前記展開状態が操作部許容状態に相当する。
【００２６】
ケーシング３において内部側表示部７の背面側およびケーシング３の一側面部には、情報を入力する第２操作部としての外部側操作部８が設けられている。換言すれば、外部側操作部８は、ケーシング３の外部に露出する領域に設けられる。この外部側操作部８は、前記背面側に設けられるキー操作部９と、前記一側面部に設けられる後述するシャッタキー１０とを備えている。
【００２７】
キー操作部９は、適当間隔おきに配設される３つの背面キー９ａ，９ｂ，９ｃからなる。各背面キー９ａ，９ｂ，９ｃが操作片に相当する。しかも、これら背面キー９ａ，９ｂ，９ｃのうちの１つの背面キー９ａは、後述する外部側表示部１１における矩形状表示エリアの一辺１２の中間付近に近接して配設される。前記背面キー９ａを中央キー９ａと定義する。別の背面キー９ｂは、前記矩形状表示エリアの四隅のうちの１つ、つまり前記一辺１２とこの一辺１２に隣接する一辺１３との交点に近接して配設される。前記背面キー９ｂを左キー９ｂと定義する。残りの背面キー９ｃは、矩形状表示エリアの四隅のうちの１つ、つまり矩形状表示エリアの一辺１２とこの一辺１２に隣接する他の一辺１４との交点に近接して配設される。前記背面キー９ｃを右キー９ｃと定義する。後述するが、これら中央キー９ａ、左キー９ｂ、右キー９ｃ、およびシャッタキー１０を選択的に操作することで、撮像画像のズームアップまたはズームダウン、画像データの仮保存および保存、待受け表示画面の登録、およびクイックメールの送信などが実行可能である。
【００２８】
ケーシング３の前記背面側には、表示部としての外部側表示部１１が設けられている。したがって、内部側表示部７の表示面と、外部側表示部１１の表示面とは、互いに離反する方向に臨む。この外部側表示部１１は、前記外部側操作部８の操作によって入力される情報に応答して表示内容を表示する。外部側表示部１１は、たとえばカラー表示可能な半透過半反射型液晶表示素子によって実現される。
【００２９】
前述した内部側表示部７および外部側表示部８は、カラー表示可能な半透過半反射型液晶表示素子によって実現されるが、必ずしもこれに限定されるものではない。たとえば内部側表示部７および外部側表示部８の少なくともいずれか１つを、カラー表示または白黒表示可能な透過型液晶表示素子、反射型液晶表示素子、エレクトロルミネッセンス（Ｅｌｅｃｔｒｏ  Ｌｕｍｉｎｅｓｃｅｎｔ；略称ＥＬ）素子、および白黒表示可能な半透過半反射型液晶表示素子のうちのいずれか１つによって実現されてもよい。
【００３０】
ケーシング２において内部側操作部５の背面側には、撮像手段であるカメラ１５と、アンテナ１６とが付設されている。カメラ１５は、入射光を電気的な信号に変換し、画像データを生成する。カメラ１５は、ケーシング２の基端部つまりヒンジ部４付近に設けられる。このカメラ１５は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ  Ｓｅｍｉｃｏｎｄｕｃｔｏｒ；略称ＣＭＯＳ）イメージセンサなどの撮像素子と、赤色（Ｒ），緑色（Ｇ），青色（Ｂ）の３色のカラーフィルタと、マイクロレンズアレイとを有する。カメラ１５は、被写体で反射されて撮像レンズに入射した光を、カラーフィルタを通してＲ，Ｇ，Ｂの３色光にし、Ｒ，Ｇ，Ｂの３色光をそれぞれ前記撮像素子によって電気信号に変換する。
【００３１】
図６は、携帯電話機１の電気的構成を示すブロック図である。携帯電話機１は、前述したケーシング２，３、内部側操作部５、内部側表示部７、外部側表示部１１、外部側操作部８、カメラ１５およびアンテナ１６の他に、制御部６、画像処理部１７、第１メモリ１８、第２メモリ１９、第１表示ドライバ部２０、第２表示ドライバ部２１、第１バックライトユニット２２、第２バックライトユニット２３、状態検出スイッチ２４、無線部２５、通信制御部２６、音声入力部２７および音声出力部２８をさらに含む。
【００３２】
制御部６は、中央演算処理装置（Ｃｅｎｔｒａｌ  Ｐｒｏｃｅｓｓｉｎｇ  Ｕｎｉｔ；略称ＣＰＵ）によって実現され、その内部に保存される制御プログラムに基づいて、携帯電話機１を構成する各部の制御を行う。制御部６は、内部側操作部５および外部側操作部８によって入力される情報、および後述する状態検出スイッチ２４に応答して携帯電話機１を構成する各部に制御信号を与えて、その動作を制御する。
【００３３】
画像処理部１７は、増幅部、アナログ／デジタル（Ａｎａｌｏｇ／Ｄｉｇｉｔａｌ；略称Ａ／Ｄ）変換部および信号処理部を含む。増幅部は、カメラ１５から与えられるＲ，Ｇ，Ｂの３色光のそれぞれに対応した電気信号を増幅し、Ａ／Ｄ変換部に与える。Ａ／Ｄ変換部は、増幅部で増幅されたＲ，Ｇ，Ｂに対応したアナログの電気信号をデジタルの電気信号に変換し、画像データを生成して信号処理部に与える。信号処理部は、Ａ／Ｄ変換部から与えられる画像データに対して、画素の補間処理などの信号処理を行う。また信号処理部は、制御部６から与えられる制御信号に基づいて、信号処理を施した画像データを第１メモリ１８に与える。
【００３４】
第１メモリ１８は、画像処理部１７からたとえば連続的に与えられる画像データを一時的に記憶する。第１メモリ１８は、複数画面分の画像データを記憶している。第１メモリ１８に記憶される画像データのうち、時間的に古い画像データは消去される、あるいは時間的に古い画像データに時間的に最も新しい画像データが上書きされることによって、第１メモリ１８には一時的に画像データが記憶される。第１メモリ１８は、たとえばスタティックランダムアクセスメモリ（Ｓｔａｔｉｃ  Ｒａｎｄｏｍ  Ａｃｃｅｓｓ  Ｍｅｍｏｒｙ；略称ＳＲＡＭ）などの揮発性メモリによって実現される。
【００３５】
第２メモリ１９は、内部側操作部５および外部側操作部８のいずれか一方によって入力された情報、ここではカメラ１５で撮像された画像を保存する指示が入力された場合に、この指示に応答した制御部６によって与えられる制御信号に基づいて第１メモリ１８に記憶された画像データのうち所定の画像データを保存する。また第２メモリ１９には、内部側操作部５によって入力された文字データ、および通信制御部２６を介して受信した画像データおよび文字データなどの情報が保存される。第２メモリ１９は、たとえばフラッシュメモリなどの不揮発性メモリによって実現される。前述した外部側操作部８のうちシャッタキー１０を操作することによって、カメラ１５で撮像された画像を第２メモリ１９に保存することができる。これら第１および第２メモリ１８，１９が記憶手段に相当する。
【００３６】
制御部６は、内部側操作部５および外部側操作部８のうちいずれか一方によって入力されるカメラ１５で撮像するための情報に応答する。カメラ１５で撮像するための情報が内部側操作部５によって入力された場合には、制御部６は、この内部側操作部５に対応する内部側表示部７に前記カメラ１５で撮像した画像を表示させる。カメラ１５で撮像するための情報が外部側操作部８によって入力された場合には、制御部６は、この外部側操作部８に対応する外部側表示部１１に前記カメラ１５で撮像した画像を表示させる。したがって操作者は、内部側操作部５または外部側操作部８から所定の情報を入力することができるので、携帯電話機の操作性が向上する。
【００３７】
内部側操作部５によってカメラ１５で撮像するための情報が入力された場合には、制御部６は、第１メモリ１８に記憶された画像データを、第１表示ドライバ部２０に与える。外部側操作部８によってカメラ１５で撮像するための情報が入力された場合には、制御部６は、第２メモリ１９に記憶された画像データを、第２表示ドライバ部２１に与える。
【００３８】
第１メモリ１８に一時的に記憶され、内部側表示部７に表示する画像データおよび文字データの少なくともいずれか一方のデータに基づいて、第１表示ドライバ部２０は、内部側表示部７の各画素電極に対して駆動電圧を印加する。第２メモリ１９に保存され、外部側表示部１１に表示する画像データおよび文字データの少なくともいずれか一方のデータに基づいて、第２表示ドライバ部２１は、外部側表示部１１の各画素電極に対して駆動電圧を印加する。これによって内部側表示部７および外部側表示部１１のうち少なくともいずれか一方に、所定の表示内容が表示される。内部側表示部７は、第１表示ドライバ部２０によって駆動され、カメラ１５で撮像された画像を表示する。外部側表示部１１は、第２表示ドライバ部２１によって駆動され、カメラ１５で撮像された画像を表示する。
【００３９】
第１バックライトユニット２２は、表示面側から臨んで内部側表示部７の背後に設けられ、内部側表示部７に光を照射する。第２バックライトユニット２３は、表示面側から臨んで外部側表示部１１の背後に設けられ、外部側表示部１１に光を照射する。第１および第２バックライトユニット２２，２３は、いわゆるサイドライトタイプのバックライトユニットである。これら第１および第２バックライトユニット２２，２３は、発光ダイオードなどの発光素子と光学フィルタなどで構成した導光板とを含んで構成され、前記発光素子を導光板の厚み方向に垂直な方向の側部に配置して、その発光素子が発する光を導光板に形成したパターンによって表示面に導き、バックライトとして照射する。
【００４０】
第１および第２バックライトユニット２２，２３には制御部６から制御信号が与えられ、発光素子の点灯／消灯、および輝度調整などが行なわれる。第１および第２バックライトユニット２２，２３を設けることによって、携帯電話機１の周囲が暗い場合でも、内部側表示部７および外部側表示部１１の少なくともいずれか一方に表示される表示内容を見やすくすることができ、視認性が向上する。
【００４１】
前述した第１および第２バックライトユニット２２，２３は、各々独立して制御部６によって制御される。内部側表示部７に所定の表示内容が表示されている場合には、制御部６は、第１バックライトユニット２２の発光素子を点灯させる。外部側表示部１１に所定の表示内容が表示されている場合には、制御部６は、第２バックライトユニット２３の発光素子を点灯させる。
【００４２】
第１および第２バックライトユニット２２，２３の各発光素子は、操作者によってこれらの発光素子を消灯するための情報が内部側操作部５または外部側操作部８によって入力されるまで点灯する構成とする。第１および第２バックライトユニット２２，２３の発光素子は、点灯してから予め定める時間が経過すると、制御部６によって消灯される構成としてもよい。
【００４３】
状態検出スイッチ２４は、ケーシング２，３の折り畳み状態および展開状態を検出する判定手段である状態検出部の一部を構成する。この状態検出部は、たとえばケーシング３に設けられる突起部、ケーシング２に設けられる孔部、状態検出スイッチ２４、および制御部６を含み構成される。制御部６は、前記孔部に挿入可能な突起部の位置、換言すれば状態検出スイッチ２４のスイッチング状態に基づいて、たとえば個別接点間に流れる電流を検出可能に構成される。
【００４４】
制御部６は、個別接点間に流れる電流を検出することによって、電流が流れればケーシング２，３が折り畳み状態であると判断する。ケーシング２，３が展開状態である場合には、個別接点間に電流を流すことができない。したがって制御部６は、ケーシング２，３が折り畳み状態でないとつまり展開状態であると判断する。
【００４５】
このように携帯電話機１においては、制御部６が、状態検出スイッチ２４のスイッチング状態に基づいて、ケーシング２，３が展開状態であるのか折り畳み状態であるのかを簡単な構成で容易に検出することができる。前記ケーシング２，３の展開状態は、内部側操作部５および外部側操作部８を操作可能な操作部許容状態と同義である。前記ケーシング２，３の折り畳み状態は、外部側操作部８だけを操作可能な操作部規制状態と同義である。
【００４６】
図７は、予め登録される外部側表示部１１の待受け表示画面と、キー操作部９に対応する表示領域とを示す図である。図８は、待受け表示画面の設定方法を説明するための図である。図９は、外部側表示部１１における待受け表示画面の設定方法を段階的に示すフローチャートである。外部側表示部１１を、図９においてサブＬＣＤと表記する。図１０は、外部側表示部１１における待受け表示画面を、保存する方法を段階的に示すフローチャートである。
【００４７】
これら図９および図１０のフローチャートつまり待受け表示画面の設定および保存は、制御部６に予め格納されるプログラムに基づいて実行される。前記プログラムは中央演算処理装置によって実行される。ステップｓ０で本フローをスタートさせ、たとえば操作者が「メニュー」に相当する中央キー９ａを操作すると、ステップｓ１において制御部６は、本携帯電話機１をカメラモードつまり撮影状態に移行させる。
【００４８】
次にステップｓ２に移行して、制御部６は、状態検出スイッチ２４のスイッチング状態に基づいて、折り畳み状態であるか否かを判断する。ここで折り畳み状態であると判断されるとステップｓ３に移行して、制御部６は、撮像画像を外部側表示部１１に表示する。この段階で左キー９ｂ、右キー９ｃ、および中央キー９ａにそれぞれ近接する外部側表示部１１の表示領域には、「ズームダウン」、「ズームアップ」、および「メニュー」の文字が表示される。このように各キーにそれぞれ近接する外部側表示部１１の表示領域に、対応する文字が表示されるので、操作者はその文字を確認しつつ所望のキーを操作することが可能となる。
【００４９】
その後ステップｓ４に移行し、操作者がズームダウンに相当する左キー９ｂを操作したか否かを、制御部６が判断する。この左キー９ｂを操作したと判断されると、ステップｓ５に移行し、制御部６は、撮像画像全体のうちの一部を外部側表示部１１にズームダウン表示する。本携帯電話機１においては、操作者が左キー９ｂを操作する毎に、撮像画像を段階的にズームダウンすることができるうえ、操作者が左キー９ｂを長押しすることによって、撮像画像を連続的にズームダウンすることも可能である。操作者が予め定める時間（たとえば約２秒間）続けて左キー９ｂを操作すると、制御部６は左キー９ｂが長押しされたと判断する。ただし予め定める時間は、２秒間に限定されるものではない。
【００５０】
次にステップｓ６に移行し、操作者がズームアップに相当する右キー９ｃを操作したか否かを、制御部６が判断する。この右キー９ｃを操作したと判断されると、ステップｓ７に移行し、制御部６は撮像画像全体の一部を外部側表示部１１にズームアップ表示する。本携帯電話機においては、操作者が右キー９ｃを操作する毎に、撮像画像を段階的にズームアップすることができるうえ、操作者が右キー９ｃを長押しすることによって、撮像画像を連続的にズームアップすることも可能である。操作者が予め定める時間（たとえば約２秒間）続けて右キー９ｃを操作すると、制御部６は右キー９ｃが長押しされたと判断する。ただし予め定める時間は、２秒間に限定されるものではない。
【００５１】
その後ステップｓ８に移行し、操作者がメニューに相当する中央キー９ａを操作したか否かを、制御部６が判断する。前記中央キー９ａを操作したと判断されると、ステップｓ９に移行する。ステップｓ９において、中央キー９ａが開放されたか否かが制御部６によって判断される。換言すれば操作者が中央キー９ａを操作した状態を解除したか否かを、制御部６が判断する。中央キー９ａを開放したと判断されると、ステップｓ１０（図１４のサブルーチン）に移行する。ステップｓ９において中央キー９ａは開放されていないと制御部６が判断すると、ステップｓ１１に移行する。
【００５２】
このステップｓ１１で予め定める時間（たとえば約５秒間）経過したか否かを、制御部６が判断する。ただし前記予め定める時間は、５秒間に必ずしも限定されるものではない。ここで予め定める時間経過していないと判断されると、ステップｓ９に戻る。予め定める時間経過したと判断されると、ステップｓ１２に移行して本携帯電話機１は、電話およびメールなどを待受ける待受状態となる。
【００５３】
ステップｓ８で中央キー９ａを操作していないと、制御部６が判断すると、ステップｓ１３に移行する。このステップｓ１３にて操作者がシャッタキー１０を操作したか否かを、制御部６が判断する。ここでシャッタキー１０を操作していないと判断されると、ステップｓ２に戻る。逆にシャッタキー１０を操作したと判断されると、ステップｓ１４に移行する。ステップｓ１４において制御部６は、予め設定されたサイズにて撮像した画像データを仮保存する。その後ステップｓ１５に移行し、制御部６は、仮保存した撮像画像を外部側表示部１１に表示させる。
【００５４】
その後ステップｓ１６に移行し、状態検出スイッチ２４のスイッチング状態に基づいて、制御部６は、本携帯電話機１が折り畳み状態であるか否かを判断する。携帯電話機１が折り畳み状態でないと判断されると、ステップｓ４２に移行する。ここで携帯電話機１が折り畳み状態であると判断されると、ステップｓ１７に移行する。ステップｓ１７において、操作者が待受け表示画面登録キーに相当する右キー９ｃを操作したか否かを、制御部６が判断する。
【００５５】
この右キー９ｃを操作したと判断されると、ステップｓ１８に移行し、制御部６は、ステップｓ１４で仮保存された画像データをたとえばＪＰＥＧデータ（ＪＰＥＧ：Ｊｏｉｎｔ  Ｐｈｏｔｏｇｒａｐｈｉｃ  Ｅｘｐｅｒｔｓ  Ｇｒｏｕｐ）に変換する。このＪＰＥＧデータに変換するステップとは、画像データサイズと送信データサイズとに基づき圧縮率を定め、その圧縮率によって画像データをＪＰＥＧデータに変換するステップと同義である。次にステップｓ１９に移行し、制御部６はこのＪＰＥＧデータをたとえば第１メモリ１８のライブラリに保存する。その後ステップｓ２０に移行して、後述する待受表示画面登録のサブルーチンに基づいて、内部側表示部７の待受表示画面が登録される。
【００５６】
ステップｓ１７において、右キー９ｃを操作していないと制御部６が判断すると、ステップｓ２１に移行する。ステップｓ２１において、操作者がＪＰＥＧデータ保存キーおよびクイックメール１移行キーに相当する左キー９ｂを操作したか否かを、制御部６が判断する。この左キー９ｂを操作したと判断されると、ステップｓ２２に移行し、制御部６は、ステップｓ１４で仮保存された画像データをたとえばＪＰＥＧデータ（ＪＰＥＧ：Ｊｏｉｎｔ  Ｐｈｏｔｏｇｒａｐｈｉｃ  Ｅｘｐｅｒｔｓ  Ｇｒｏｕｐ）に変換する。次にステップｓ２３に移行し、制御部６はこのＪＰＥＧデータをたとえば第１メモリ１８のライブラリに保存する。その後ステップｓ２４に移行してクイックメール１を実行するためのサブルーチンへ移行する。
【００５７】
ステップｓ２１において、左キー９ｂを操作していないと制御部６が判断すると、ステップｓ２５に移行し、操作者がＪＰＥＧデータ保存キーおよび撮影状態へ戻るキーに相当する中央キー９ａを操作したか否かを、制御部６が判断する。この中央キー９ａを操作していないと判断されると、ステップｓ１６に戻る。ステップｓ２５で中央キー９ａを操作したと判断されると、ステップｓ１００に移行する。このステップｓ１００において、中央キー９ａが開放されたか否かが制御部６によって判断される。操作者が中央キー９ａを操作した状態を解除したと、制御部６が判断すると、ステップｓ２６に移行する。
【００５８】
ステップｓ２６では、ステップｓ１４で仮保存された画像データをたとえばＪＰＥＧデータに変換する。次にステップｓ２７に移行し、制御部６はこのＪＰＥＧデータをたとえば第１メモリ１８のライブラリに保存する。その後ステップｓ２８に移行し、制御部６は本携帯電話機１をカメラモードつまり撮像状態にする。
【００５９】
前記ステップｓ１００において、中央キー９ａは開放されていないと制御部６が判断すると、ステップｓ１０１に移行する。このステップｓ１０１で予め定める時間（たとえば約５秒間）経過したか否かを、制御部６が判断する。ただし前記予め定める時間は、５秒間に必ずしも限定されるものではない。ここで予め定める時間経過していないと判断されると、ステップｓ１００に戻る。予め定める時間経過したと判断されると、ステップｓ１０２に移行して本携帯電話機１は、電話およびメールなどを待受ける待受状態となる。
【００６０】
図１１は、内部側表示部７における待受け表示画面の設定方法を段階的に示すフローチャートである。内部側表示部７を、図１１においてメインＬＣＤと表記する。図１２は、内部側表示部７における待受け表示画面を保存する方法を段階的に示すフローチャートである。これら図１１および図１２のフローチャートつまり前記待受け表示画面の設定および保存は、制御部６に予め格納されるプログラムに基づいて実行される。前記プログラムは中央演算処理装置によって実行される。図３も参照しつつ説明する。
【００６１】
図９のステップｓ２において、本携帯電話機１は折り畳み状態ではないと判断されると、ステップｓ２９に移行する。ここで制御部６は、携帯電話機１が折り畳み状態であるか否かを再び判断する。このステップｓ２９で折り畳み状態であると判断されると、ステップｓ２に戻る。ステップｓ２９で、携帯電話機１が折り畳み状態ではないつまり展開状態であると制御部６が判断すると、ステップｓ３０に移行する。
【００６２】
前記ステップｓ３０において、制御部６は、撮像画像を内部側表示部７に表示する。その後ステップｓ３１に移行し、操作者がズームダウンに相当する左キー２９を操作したか否かを、制御部６が判断する。この左キー２９を操作したと判断されると、ステップｓ３２に移行し、制御部６は撮像画像を内部側表示部７にズームダウンつまり縮小して表示する。左キー２９および後述する右キー３０は、内部側操作部５の操作キー５ａに含まれる。
【００６３】
次にステップｓ３３に移行し、操作者がズームアップに相当する右キー３０を操作したか否かを、制御部６が判断する。この右キー３０を操作したと判断されると、ステップｓ３４に移行し、制御部６は撮像画像を内部側表示部７にズームアップつまり拡大して表示する。その後ステップｓ３５に移行し、操作者がカメラキー３４（図３参照）を操作したか否かを、制御部６が判断する。前記カメラキー３４を操作したと判断されると、ステップｓ３７（図１５のサブルーチン）に移行する。カメラキー３４は、内部側操作部５の操作キー５ａに含まれる。
【００６４】
ステップｓ３５でカメラキー３４を操作していないと、制御部６が判断すると、ステップｓ３８に移行する。このステップｓ３８にて、操作キー５ａに含まれる電源キー３５を操作者が操作したか否かを、制御部６が判断する。ここで電源キー３５を操作したと制御部６が判断すると、ステップｓ３９に移行して本携帯電話機１は、電話およびメールなどを待受ける待受状態となる。ステップｓ３８で電源キー３５を操作していないと、制御部６が判断すると、ステップｓ４０に移行する。
【００６５】
ステップｓ４０でＦキー３１を操作者が操作したか否かを、制御部６が判断する。ここでＦキー３１を操作していないと制御部６が判断すると、ステップｓ２９に戻る。逆にＦキー３１を操作したと制御部６が判断すると、ステップｓ４１に移行する。ステップｓ４１において制御部６は、予め設定されたサイズにて撮像した画像データを仮保存する。その後ステップｓ４２に移行し、制御部６は、仮保存した撮像画像を内部側表示部７に表示させる。
【００６６】
その後ステップｓ４３に移行し、状態検出スイッチ２４のスイッチング状態に基づいて、制御部６は、本携帯電話機１が折り畳み状態であるか否かを判断する。ここで携帯電話機１が折り畳み状態であると判断されると、ステップｓ１５に移行する。携帯電話機１が折り畳み状態でないと判断されると、ステップｓ４４に移行する。ステップｓ４４において、操作者がカメラキー３４を操作したか否かを、制御部６が判断する。カメラキー３４は、キー操作部５ａに含まれる。
【００６７】
このカメラキー３４を操作したと判断されると、ステップｓ４５に移行し、制御部６は、ステップｓ４１で仮保存された画像データをたとえばＪＰＥＧデータに変換する。次にステップｓ４６に移行し、制御部６はこのＪＰＥＧデータをたとえば第１メモリ１８のライブラリに保存する。その後ステップｓ２０に移行して、後述する待受表示画面のサブルーチンに基づいて、外部側表示部１１の待受表示画面が登録される。
【００６８】
ステップｓ４４において、カメラキー３４を操作していないと制御部６が判断すると、ステップｓ４８に移行する。ステップｓ４８において、操作者がＪＰＥＧデータ保存キーおよびクイックメール２移行キーに相当するメールキー３３を操作したか否かを、制御部６が判断する。キー操作部５ａに含まれるメールキー３３を操作したと判断されると、ステップｓ４９に移行し、制御部６は、ステップｓ４１で仮保存されたＪＰＥＧデータに変換する。次にステップｓ５０に移行し、制御部６はこのＪＰＥＧデータをたとえば第１メモリ１８のライブラリに保存する。その後ステップｓ５１に移行してクイックメール２を実行するためのサブルーチンへ移行する。
【００６９】
ステップｓ４８において、メールキー３３を操作していないと制御部６が判断すると、ステップｓ５２に移行し、操作者がＪＰＥＧデータ保存キーおよび撮影状態へ戻るキーに相当するＦキー３１を操作したか否かを、制御部６が判断する。このＦキー３１を操作していないと判断されると、ステップｓ４３に戻る。ステップｓ５２でＦキー３１を操作したと判断されると、ステップｓ５３に移行する。ステップｓ５３では、ステップｓ４１で仮保存された画像データをたとえばＪＰＥＧデータに変換する。次にステップｓ５４に移行し、制御部６はこのＪＰＥＧデータをたとえば第１のメモリ１８のライブラリに保存する。その後ステップｓ５５に移行し、制御部６は本携帯電話機１をカメラモードつまり撮像状態にする。
【００７０】
図１３は、外部側表示部１１のサブメニュー表示画面を示す図である。図１４は、撮影サブメニューのサブルーチンを表すフローチャートである。図９に示すようにステップｓ１０の撮影サブメニューに移行すると、次にステップｓ５６に移行する。このステップにおいて、制御部６は外部側表示部１１にサブメニュー表示画面を表示する。
【００７１】
次にステップｓ５７に移行して、制御部６は、状態検出スイッチ２４のスイッチング状態に基づいて、折り畳み状態であるか否かを判断する。ここで折り畳み状態ではないと判断されると後述するステップｓ３７の撮影メインメニューに移行する。ステップｓ５７で本携帯電話機１が折り畳み状態であると判断されると、ステップｓ５８に移行し、複数の項目のうちの所望の項目を選択する。
【００７２】
前記複数の項目は、たとえばファインダ方向切替、撮影モード切替、連続撮影、およびセルフタイマーなどがある。前記ファインダ方向切替とは、ファインダの縦方向と横方向とを切替操作することであって、たとえばデフォルトで縦方向に設定されている。前記撮影モード切替とは、撮影モードの静止画と動画とを切替操作することである。前記セルフタイマーとは、セルフタイマーのスイッチング状態つまりＯＮとＯＦＦとを切替操作することである。
【００７３】
その後ステップｓ５９に移行し、操作者が決定キーに相当する中央キー９ａを操作したか否かを制御部６が判断する。中央キー９ａを操作していないと制御部６が判断すると、ステップｓ５７に戻る。中央キー９ａを操作したと制御部６が判断すると、ステップｓ６０に移行する。ここで中央キー９ａが開放されたか否かが制御部６によって判断される。このステップｓ６０において中央キー９ａが開放されたと制御部６が判断すると、ステップｓ５８で選択された項目を設定変更する。
【００７４】
その後ステップｓ６２に移行し、制御部６は、本携帯電話機１をカメラモードつまり撮影状態に戻す。ステップｓ６０において中央キー９ａが開放されていないと制御部６が判断すると、ステップｓ６３に移行する。ここで予め定める所定時間（たとえば約５秒）経過したか否かが判断される。所定時間経過していなければ、ステップｓ６０に戻る。所定時間経過していれば、前記ステップｓ６２に移行する。
【００７５】
図１５は、撮影メインメニューのサブルーチンを表すフローチャートである。図１１に示すようにステップｓ３７の撮影メインメニューに移行すると、次にステップｓ６４に移行する。このステップにおいて、制御部６は内部側表示部７にメインメニュー表示画面を表示する。
【００７６】
次にステップｓ６５に移行して、制御部は、状態検出スイッチのスイッチング状態に基づいて、折り畳み状態であるか否かを判断する。ここで折り畳み状態と判断されると後述するステップｓ１０の撮影サブメニューに移行する。ステップｓ６５で本携帯電話機が折り畳み状態でないと判断されると、ステップｓ６６に移行し、複数の項目のうちの所望の項目を選択する。前記複数の項目は、たとえばファインダ方向切替、撮影モード切替、連続撮影、およびセルフタイマーなどがある。
【００７７】
その後ステップｓ６７に移行し、操作者が操作キー５ａに含まれるクリアキー３６を操作したか否かを制御部６が判断する。クリアキー３６を操作したと制御部６が判断すると、ステップｓ６８に移行し、制御部６は、本携帯電話機１をカメラモードつまり撮影状態にする。ステップｓ６７でクリアキー３６を操作していないと制御部６が判断すると、ステップｓ６９に移行する。このステップｓ６９でＦキー３１を操作したか否かを制御部６が判断する。
【００７８】
Ｆキー３１を操作していないと制御部６が判断すると、ステップｓ６４に戻る。Ｆキー３１を操作したと制御部６が判断すると、ステップｓ７０に移行し、制御部６は、ステップｓ６６で選択された項目を設定変更する。その後ステップｓ７１に移行し、下位メニューがあるか否かを制御部６が判断する。ここで下位メニューがないと判断されると、ステップｓ７３に移行し決定項目が設定変更される。その後ステップｓ７４に移行し、制御部６は、本携帯電話機１をカメラモードつまり撮影状態に戻す。ステップｓ７１で下位メニューがあると制御部６が判断すると、ステップｓ７２に移行し、メインＬＣＤに下位メニュー表示画面を表示させる。
【００７９】
図１６は、待受け表示画面の登録方法を段階的に示すフローチャートである。本フローチャートつまり待受け表示画面の登録は、制御部６に予め格納されるプログラムに基づいて実行される。前記プログラムは中央演算処理装置によって実行される。図１０および図１２に示すようにステップｓ２０の待受画面登録に移行すると、次にステップｓ７６に移行する。ここで制御部６は、状態検出スイッチ２４のスイッチング状態に基づいて、折り畳み状態であるか否かを判断する。
【００８０】
ステップｓ７６で本携帯電話機１が折り畳み状態であると判断されると、ステップｓ７７に移行する。ここで撮影サイズは外部側表示部１１の待受け表示画面サイズと一致するか否かが、制御部６によって判断される。ステップｓ７７において撮影サイズと、外部側表示部１１の待受け表示画面サイズとが一致すると判断されると、ステップｓ７８に移行する。前記ステップｓ７８において、制御部６によって画像データサイズ変換が実行される。この画像データサイズ変換は、仮保存された画像データ、すなわちＪＰＥＧ圧縮前のＢＭＰデータを元画像として用い、間引きおよび補間処理を行うこととする。その後ステップｓ７９に移行し、制御部６は外部側表示部１１の待受け表示画面登録を実行する。
【００８１】
この待受画面登録する画像データとしては、サイズ変換した画像データ（ＢＭＰデータ）またはサイズ変換した画像データを圧縮したデータ（ＪＰＥＧデータ）のいずれでもよい。次にステップｓ８０に移行して、制御部６は、本携帯電話機１を電話およびメールなどを待受ける待受状態にする。ステップｓ７７において撮影サイズと、外部側表示部１１の待受け表示画面サイズつまりサブ待受画面サイズとが一致しないと判断されると、ステップｓ７９に移行する。
【００８２】
ステップｓ７６で本携帯電話機１が折り畳み状態でないと判断されると、ステップｓ８１に移行する。このステップｓ８１において、制御部６は内部側表示部７に選択画面を表示する。ところで撮影サイズとして前記待受け表示画面サイズつまりサブ待受画面サイズが設定されている場合には、制御部６は、選択画面表示において「メイン画面待受設定」および「メイン・サブ画面待受設定」を選択不可能にグレイアウトする。
【００８３】
その後ステップｓ８２に移行し、操作者が外部側表示部１１の待受け表示画面の登録をするか否かを制御部６が判断する。前記待受け表示画面の登録をする、つまりサブ待受選択をすると判断されると、ステップｓ７７に移行する。ステップｓ８２でサブ待受選択をしないと制御部６が判断すると、ステップｓ８３に移行する。このステップｓ８３において、操作者が内部側表示部７の待受け表示画面の登録をするか否かを制御部６が判断する。ここで前記待受け表示画面の登録をしない、つまりメイン待受選択をしないと制御部６が判断すると、ステップｓ８４に移行する。
【００８４】
ステップｓ８４において、操作者が内部側表示部７および外部側表示部１１の待受け表示画面の登録をするか否か、つまり操作者がメイン・サブ待受選択をするか否かを、制御部６が判断する。ここでメイン・サブ待受選択なしと制御部６が判断すると、ステップｓ７６に戻る。メイン・サブ待受選択ありと制御部６が判断すると、ステップｓ８５に移行する。
【００８５】
ステップｓ８５において、撮影サイズは外部側表示部１１の待受け表示画面サイズと一致するか否かが、制御部６によって判断される。ここで撮影サイズと、外部側表示部１１と待受け表示画面サイズとが一致しないと判断されると、ステップｓ８６に移行する。前記ステップｓ８６において、制御部６によって画像データサイズ変換が実行される。この画像データサイズ変換は、仮保存された画像データ、すなわちＪＰＥＧ圧縮前のＢＭＰデータを元画像として用い、間引きおよび補間処理を行うこととする。
【００８６】
その後ステップｓ８７に移行し、制御部６は外部側表示部１１の待受け表示画面登録を実行する。ステップｓ８５において撮影サイズとサブ待受画面サイズとが一致すると判断されると、ステップｓ８７に移行する。このステップｓ８７の後ステップｓ８８に移行し、ここで撮影サイズは内部側表示部７の待受け表示画面サイズと一致するか否かが、制御部６によって判断される。ステップｓ８８において撮影サイズと、内部側表示部７の待受け表示画面サイズとが一致しないと判断されると、ステップｓ８９に移行する。
【００８７】
前記ステップｓ８９において、制御部６によって画像データサイズ変換が実行される。この画像データサイズ変換は、仮保存された画像データ、すなわちＪＰＥＧ圧縮前のＢＭＰデータを元画像として用い、間引きおよび補間処理を行うこととする。その後ステップｓ９０に移行し、制御部６は内部側表示部７の待受け表示画面登録を実行する。この待受画面登録する画像データとしては、サイズ変換した画像データ（ＢＭＰデータ）またはサイズ変換した画像データを圧縮したデータ（ＪＰＥＧデータ）のいずれでもよい。
【００８８】
次にステップｓ９１に移行して、制御部６は、本携帯電話機１を電話およびメールなどを待受ける待受状態にする。ステップｓ８８において撮影サイズと、内部側表示部７の待受け表示画面サイズつまりメイン待受画面サイズとが一致すると判断されると、ステップｓ９０に移行する。前記ステップｓ８３において、メイン待受選択をすると制御部６が判断すると、ステップｓ８８に移行する。
【００８９】
以上説明した携帯電話機１によれば、内部側表示部７は、内部側操作部５の操作によって入力される情報に応答して表示内容を表示する。外部側表示部１１は、外部側操作部８の操作によって入力される情報に応答して表示内容を表示する。携帯電話機１が展開状態にあるか折り畳み状態にあるかを判断する状態検出部の判定結果に基づき、制御部６は、操作部規制状態つまり折り畳み状態で撮像した最新の撮像画像を外部側表示部１１の待受け表示画面として表示するとともにたとえば第１メモリ１８に記憶するように制御する。
【００９０】
このように特に操作部規制状態で外部側操作部８の操作によって、制御部６は、最新の撮像画像を外部側表示部１１の待受け表示画面として設定するので、操作手順を簡略化することができる。つまり最新の撮像画像を外部側表示部１１の待受け表示画面として設定するとき、携帯電話機１を展開状態と折り畳み状態とにわたって切替えつつ、内部側操作部５および外部側操作部８を操作する必要がなくなる。このような切替操作および複数の操作部の操作を行うことなく、待受け表示画面の設定および記憶を実現することができる。それ故、操作手順の簡略化を図ることができるうえ、設定時間を短縮することが可能となる。
【００９１】
また本実施の形態の携帯電話機１によれば、制御部６は、撮像画像を圧縮して第１メモリ１８または第２メモリ１９に保存する。このように撮像した撮像画像が圧縮されたうえで保存されるので、メモリの容量不足を解消することが可能となる。撮像した撮像画像が、予め定めるサイズと異なるサイズの場合には、撮像画像は、予め定めるサイズに変換されたうえで、待受け表示画面として設定されるとともに第１または第２メモリ１８，１９に記憶される。
【００９２】
また本携帯電話機１によれば、キー操作部９によって、撮像画像全体のうちの少なくとも一部を選択する。このように撮像画像全体のうち操作者の所望の一部を簡単に選択することができる。また本携帯電話機１によれば、外部側操作部８は操作片である各背面キー９ａ，９ｂ，９ｃを含み、各背面キー９ａ，９ｂ，９ｃによって、画像を記憶する記憶指令と、撮像した画像を待受け表示画面として設定する待受け表示指令とを略同時に行う。このように各背面キー９ａ，９ｂ，９ｃによって、記憶指令と待受け表示指令とを、それぞれ独立して行う必要がなくなるので、待受け表示画面の設定自体を一層簡略化することができる。
【００９３】
また内部側操作部５または外部側操作部８を操作して、予め定める時間経過したとき、撮像した最新の撮像画像は、待受け表示画面として設定されるとともに第１または第２メモリ１８，１９に記憶される。このように待受け表示画面の設定を一層簡略化することができる。
【００９４】
本実施の形態によれば、３つの背面キー９ａ，９ｂ，９ｃが適当間隔おきに配設されているが、必ずしもこの形態に限定されるものではない。これら３つの背面キーのうちの１つの背面キーを、矩形状表示エリアの一辺に近接して配設し、別の１つの背面キーを、前記一辺に隣接する一辺に近接して配設する。さらに残りの背面キーを、矩形状表示エリアの一辺に隣接する他の一辺に近接して配設することも可能である。このように背面キーの間隔を大きくすることによって、別の背面キーを不所望に操作することを防止することができる。
【００９５】
本実施の形態においては、画像データをＪＰＥＧデータに変換しているが、必ずしもＪＰＥＧデータに限定されるものではない。その他、前記実施形態に、特許請求の範囲を逸脱しない範囲において種々の部分的変更を行う場合もある。
【００９６】
【発明の効果】
以上のように本発明によれば、携帯型情報処理装置が操作部許容状態にあるか操作部規制状態にあるかを判定する判定結果に基づき、制御手段は、操作部規制状態で撮像した最新の撮像画像を表示部の待受け表示画面として表示するとともに記憶手段に記憶するように制御する。
【００９７】
このように特に操作部規制状態で第２操作部の操作によって、制御手段は、最新の撮像画像を表示部の待受け表示画面として設定するので、操作手順を簡略化することができる。つまり最新の撮像画像を表示部の待受け表示画面として設定するとき、携帯型情報処理装置を操作部許容状態と操作部規制状態とにわたって切替えつつ、第１および第２操作部を操作する必要がなくなる。このような切替操作および複数の操作部の操作を行うことなく、待受け表示画面の設定および記憶を実現することができる。それ故、操作手順の簡略化を図ることができるうえ、設定時間を短縮することが可能となる。
【００９８】
また本発明によれば、制御手段は、撮像画像を圧縮して記憶手段に記憶する。このように撮像した撮像画像が圧縮されたうえで記憶されるので、記憶手段の容量不足を解消することが可能となる。
【００９９】
また本発明によれば、キー操作部によって、撮像画像全体のうちの少なくとも一部を選択する。このように撮像画像全体のうち操作者の所望の一部を簡単に選択することができる。
【０１００】
また本発明によれば、第２操作部は操作片を含み、この操作片によって、画像を記憶する記憶指令と、撮像した画像を待受け表示画面として設定する待受け表示指令とを略同時に行う。このように操作片によって、記憶指令と待受け表示指令とを略同時に行うことができる。逆に言えば、記憶指令と待受け表示指令とを、それぞれ独立して行う必要がなくなるので、待受け表示画面の設定自体を一層簡略化することができる。
【０１０１】
また本発明によれば、第１工程において、携帯型情報処理装置が操作部許容状態にあるか操作部規制状態にあるかを判定する。この第１工程の判定結果に基づいて、第２工程において、操作部規制状態で撮像した最新の撮像画像を、表示部の待受け表示画面として表示するとともに記憶手段に記憶する。このように特に操作部規制状態で撮像した最新の撮像画像を、表示部の待受け表示画面として表示するとともに記憶手段に記憶するので、操作手順を簡略化することができる。
【０１０２】
つまり最新の撮像画像を表示部の待受け表示画面として設定するとき、携帯型情報処理装置を操作部許容状態と操作部規制状態とにわたって切替えつつ、第１および第２操作部を操作する必要がなくなる。このような切替操作および複数の操作部の操作を行うことなく、待受け表示画面の設定および記憶を実現することができる。それ故、操作手順の簡略化を図ることができるうえ、設定時間を短縮することが可能となる。
【図面の簡単な説明】
【図１】本発明の実施形態に係る携帯電話機１において、サブ画面と背面キーとの関係を表す図である。
【図２】折り畳んだ状態の携帯電話機１のカメラを含む一表面部を表す図である。
【図３】展開状態の携帯電話機１を、その厚み方向一方側から見た図である。
【図４】折り畳んだ状態の携帯電話機１の一側面図である。
【図５】折り畳んだ状態の携帯電話機１の他側面図である。
【図６】携帯電話機１の電気的構成を示すブロック図である。
【図７】予め登録される外部側表示部１１の待受け表示画面と、キー操作部９に対応する表示領域とを示す図である。
【図８】待受け表示画面の設定方法を説明するための図である。
【図９】外部側表示部１１における待受け表示画面の設定方法を段階的に示すフローチャートである。
【図１０】外部側表示部１１における待受け表示画面を、保存する方法を段階的に示すフローチャートである。
【図１１】内部側表示部７における待受け表示画面の設定方法を段階的に示すフローチャートである。
【図１２】内部側表示部７における待受け表示画面を、保存する方法を段階的に示すフローチャートである。
【図１３】外部側表示部１１のサブメニュー表示画面を示す図である。
【図１４】撮影サブメニューのサブルーチンを表すフローチャートである。
【図１５】撮影メインメニューのサブルーチンを表すフローチャートである。
【図１６】待受け表示画面の登録方法を段階的に示すフローチャートである。
【符号の説明】
１  携帯電話機
５  内部側操作部
６  制御部
７  内部側表示部
９  キー操作部
１０  シャッター
１１  外部側表示部
１５  カメラ
１８  第１メモリ
１９  第２メモリ
２４  状態検出スイッチ
【図１】
2004364148.tif 000003
【図２】
2004364148.tif 000004
【図３】
2004364148.tif 000005
【図４】
2004364148.tif 000006
【図５】
2004364148.tif 000007
【図６】
2004364148.tif 000008
【図７】
2004364148.tif 000009
【図８】
2004364148.tif 000010
【図９】
2004364148.tif 000011
【図１０】
2004364148.tif 000012
【図１１】
2004364148.tif 000013
【図１２】
2004364148.tif 000014
【図１３】
2004364148.tif 000015
【図１４】
2004364148.tif 000016
【図１５】
2004364148.tif 000017
【図１６】
2004364148.tif 000018